(57)【要約】【課題】測距枠周辺部に存在する主被写体とは異なる他の被写体がオートフォーカス動作へ及ぼす影響を抑制し、安定したオートフォーカス動作を実現する。【解決手段】被写体からの光を光電変換して撮像信号を生成する撮像素子２と、撮像素子により撮像された画面内の焦点検出領域に対応する信号成分から所定の周波数成分を抽出する抽出部１２，１３と、抽出部により抽出された所定の周波数成分に重み付けをする重み付け回路１５，１６と、重み付け回路により重みをつけられた信号に基づいてフォーカスレンズを合焦位置に移動させる駆動部６とを備える。【選択図】      図１
2004191892.tif 000002
【特許請求の範囲】
【請求項１】
被写体からの光を光電変換して撮像信号を生成する撮像手段と、
該撮像手段により撮像された画面内の焦点検出領域に対応する信号成分から所定の周波数成分を抽出する抽出手段と、
該抽出手段により抽出された前記所定の周波数成分に重み付けをする重み付け手段と、
前記重み付け手段の出力から、フォーカスレンズの制御に必要な単数或いは複数の情報を取得する評価値算出手段と、
前記評価値算出手段により取り出された信号に基づいてフォーカスレンズを合焦点へ駆動する駆動手段とを備え、
前記重み付け手段は水平方向、垂直方向それぞれ独立に重み付け係数の設定ができることを特徴とする撮像装置。
【発明の詳細な説明】
【０００１】
【発明の属する技術分野】
本発明は、デジタルカメラ或いはデジタルビデオカメラ等の撮像装置において、映像信号を用いてオートフォーカスを行なう技術に関するものである。
【０００２】
【従来の技術】
従来より、ビデオカメラ等の撮像機器に用いられているオートフォーカス方式としては、ＣＣＤ等の撮像素子から出力される映像信号中より焦点状態に応じて変化する高周波成分を抽出し、この高周波成分のレベルが最大となるようにフオーカスレンズを駆動して焦点調節を行う、いわゆる「山登り方式」が知られている。
【０００３】
このような「山登り方式」は、例えば、発光素子等を含む焦点調節用の特殊な光学部材が不要であり、被写体との距離によらず遠方でも近くでも正確にピントを合わせることができる等の長所を有する。この「山登り方式」によるオートフォーカス装置を図４を参照して説明する。
【０００４】
図４において、１０１はフォーカスレンズであって、レンズ駆動用モータ１０５によって、光軸方向に移動させて焦点合わせを行う。このフォーカスレンズ１０１を通った光は、撮像素子１０２の撮像面上に結像されて光電変換され、電気的な撮像信号として出力される。この撮像信号は、ＣＤＳ（２重相関サンプリング回路）／ＡＧＣ（オートゲインコントロール回路）１０３によりサンプルホールドされ、所定のレベルに増幅された後、Ａ／Ｄ変換器１０４によりデジタル撮像信号に変換される。そして、デジタルカメラ或いはビデオカメラ等の画像処理回路へ入力されてＮＴＳＣ方式或いはＰＡＬ方式による標準テレビジョン信号に変換されるとともに、輝度信号生成回路１１０において、輝度信号成分のみ抽出される。
【０００５】
抽出された輝度信号は、ガンマ回路１１１、ＬＰＦ（ローパスフィルター）１１２、ＨＰＦ（ハイパスフィルター）１１３、絶対値回路ＡＢＳ１１４へと入力され、所定の高周波成分が抽出される。抽出された高周波成分は、測距枠発生回路１１８によって指定された領域の信号のみを抜き出し、評価値算出回路において垂直同期信号の整数倍に同期した間隔でピークホールドされる。このピークホールドされた値はオートフォーカス制御に利用されるため、以後、当該ピークホールド値をＡＦ評価値と呼ぶ。このＡＦ評価値に基づいて、ＣＰＵ１０７は、合焦度に応じたフォーカシング速度を設定する。すなわち、大ボケ時には早く、小ボケ時には遅くなるように、モータ駆動回路１０６を制御して、レンズ駆動モータ１０５のモータ速度を変更する。一方でＣＰＵ１０７は、ＡＦ評価値が増加する方向にモータ駆動方向を設定して合焦度を高めていく。このような制御が上記の山登り制御である。
【０００６】
【特許文献１】
特開平９−５４２４４号公報
【特許文献２】
特開平６−２６８８９６号公報
【発明が解決しようとする課題】
しかしながら、上記のような映像信号を利用したオートフォーカス装置においては、従来より次のような問題があった。即ち、図５に示す測距枠の内部に焦点をあてるべき主被写体Ａがあったとしても、測距枠の周辺に被写体Ａとは異なる他の被写体Ｂが存在すると、抽出されるＡＦ評価値に影響を与えることになる。
【０００７】
この場合、主被写体Ａと被写体Ｂとがカメラから等距離にあれば問題は生じないが、距離が異なる場合には、この測距枠の内部にある主被写体Ａに合焦しないばかりか、測距枠周辺に存在する被写体Ｂに合焦してしまうことがあった。
【０００８】
さらに前述のような状況においては、手ぶれ等の影響を強く受けやすく、被写体Ｂが測距枠に入ったり出たりすることにより、ＡＦ評価値の変動を引き起こし、オートフォーカス動作が不安定になるという欠点があった。
【０００９】
このような課題に対して特開平９−５４２４４号公報においては、測距枠周辺に主被写体Ａとは異なる被写体Ｂが存在する場合には、従来の測距枠と被写体Ｂを含まない大きさの異なる測距枠から評価値を抽出し比較することにより、安定したオートフォーカス動作が実現できることを提案している。しかしながら上記提案においては、測距枠Ｂ（被写体Ｂを含まない測距枠）の周辺に被写体Ｂが存在する場合にはオートフォーカス動作は不安定となるため、根本的な解決策に至っていない。
【００１０】
また、特開平６−２６８８９６号公報では、複数の測距枠を用いて、複数の測距枠内の輝度信号のピーク値や（最大値−最小値）を検出し、複数の測距枠から抽出される焦点検出信号を補正することにより、安定したオートフォーカス動作が可能であることを提案している。上記提案によりオートフォーカス動作の安定性は大幅に改善され、事実多くのビデオカメラおよびデジタルカメラのＡＦ精度の向上に寄与している。しかしながら測距枠が一つの場合或いは複数の測距枠が隣接して存在する場合においては、手ぶれ等による影響を十分に解消するには至っていない。
【００１１】
本発明は、このような事情の下になされたもので、測距枠周辺部に存在する主被写体とは異なる他の被写体がオートフォーカス動作へ及ぼす影響を抑制し、安定したオートフォーカス動作を実現することを目的とする。
【００１２】
【課題を解決するための手段】
上述した課題を解決し、目的を達成するために、本発明に係わる撮像装置は、被写体からの光を光電変換して撮像信号を生成する撮像手段と、該撮像手段により撮像された画面内の焦点検出領域に対応する信号成分から所定の周波数成分を抽出する抽出手段と、該抽出手段により抽出された前記所定の周波数成分に重み付けをする重み付け手段と、該重み付け手段により重みをつけられた信号に基づいてフォーカスレンズを合焦位置に移動させる駆動手段とを備えることを特徴としている。
【００１３】
【発明の実施の形態】
以下、本発明の好適な一実施形態について、添付図面を参照して詳細に説明する。
【００１４】
図１は、本発明の一実施形態に係わる撮像装置の概略構成を示すブロック図である。
【００１５】
１はフォーカスレンズであり、レンズ駆動用モータ５によって、光軸方向に移動させて焦点合わせを行う。このフォーカスレンズ１を通過した光学像は、撮像素子２の撮像面上に結像され、光電変換されて電気的な撮像信号として出力される。この電気的な撮像信号は、ＣＤＳ／ＡＧＣ回路３によりサンプルホールドされると同時に最適なゲインで増幅され、Ａ／Ｄ変換器４で、デジタル信号Ｓ１に変換される。
【００１６】
デジタル信号Ｓ１は、カメラの画像処理回路（図示省略）に入力されると同時に、輝度信号生成回路１０において、輝度信号成分のみ抽出されて、オートフォーカス評価用信号Ｓ２となる。
【００１７】
オートフォーカス評価用信号Ｓ２は、ガンマ回路１１へ入力され、低輝度成分を強調し高輝度成分を抑圧することによりカメラの入力光とブラウン管の発光強度を比例させるべくガンマ変換された信号Ｓ３が作成される。
【００１８】
ガンマ変換された信号Ｓ３は、ＬＰＦ１２へ入力され、ＣＰＵＩ／Ｆ１９を介してＣＰＵ７によって設定されたフィルタ特性値に従い低域成分が抽出された信号Ｓ４となる。
【００１９】
低域成分が抽出された信号Ｓ４はＨＰＦ１３へ入力され、ＣＰＵＩ／Ｆ１９を介してＣＰＵ７によって設定されたフィルタ特性値に従い、信号Ｓ４から高域成分だけを抽出した信号Ｓ５が作成され、この信号Ｓ５を絶対値回路１４にて絶対値化することにより、正の信号Ｓ６が作成される。
【００２０】
信号Ｓ４および信号Ｓ６は、それぞれ重み付け回路１５、１６へ入力され、測距枠発生回路１８が指定する重み付け係数が乗算され、信号Ｓ７およびＳ８が作成される。測距枠発生回路１８が指定する重み付け係数の算出方法については後述する。
【００２１】
重み付け係数が乗算された信号Ｓ７およびＳ８は、評価値算出回路１７へ入力され、測距枠発生回路１８の指示するタイミングに従いながら、オートフォーカス制御に必要な複数の評価値が算出される。本実施例における評価値とは、特開平６−２６８８９６号公報等に記述されている、単数あるいは複数の測距枠内における、ＴＥ／ＦＥピーク評価値、ＴＥ／ＦＥラインピーク積分評価値、Ｙピーク評価値、（Ｍａｘ−Ｍｉｎ）評価値等である。
【００２２】
ＣＰＵ７は、評価値算出回路１７で得られたオートフォーカス制御用の評価値を用いて、特開平６−２６８８９６号公報等に記述されているような山登り制御方式に従い、モーター駆動回路６の制御を行う。モータ駆動回路６はＣＰＵ７の指示に従いレンズ駆動モータを動作させ、フォーカスレンズを合焦位置へと移動させる。
【００２３】
以下、本実施形態における測距枠発生回路１８が指示する重み付け係数の決定方法を図２および図３を用いて説明する。
【００２４】
図２は測距枠１つでオートフォーカス制御を行う場合の、重み付け係数の決定方法について説明した図である。
【００２５】
太線で図示した従来の測距枠３０に対し、本発明の一実施形態の測距枠３１は、従来の測距枠３０の上辺および左辺の内側と、右辺および下辺の外側に斜線で図示した重み付け領域３２を有する。
【００２６】
測距枠発生回路１８は、重み付け回路１５、１６に入力される信号Ｓ４、Ｓ６が測距枠３１内の信号である場合には、ＣＰＵＩ／Ｆ１９を介してＣＰＵ７によって設定される、水平方向重み付け付け画素数３７および水平方向重み付けＳＴＥＰ数３８に従い、水平方向重み付け係数３９を決定する。
【００２７】
水平方向重み付け係数３９は、図示されているように測距枠中心にむかって０から１へと変化する。変化する段数は、前記水平方向重み付けＳＴＥＰ数３８によって決定され、１／２ステップ、１／４ステップ、１／８ステップ等が選択可能であり、図２においては１／４ステップずつ変化する場合について図示している。
【００２８】
ただし、特開平６−２６８８９６号公報等に記述されているような（ＭＡＸ−ＭＩＮ）のピーク値を検出する場合等において、最小値を検出すべき信号に対しては、逆方向への重み付け処理が必要であることは明白である。この場合は、測距枠中心にむかって２から１へと変化する重み付け係数を設定することが必要となる。
【００２９】
また、重み付け領域３２の水平方向の画素数（重み付け領域の水平方向の太さ）は、水平方向重み付け画素数３７と水平方向重み付けＳＴＥＰ数３９で決定される重み付け段数との積により決定される。すなわち本実施形態においては、水平方向重み付け画素数３７×３が重み付け領域３２の水平方向の画素数となる。
【００３０】
同様に重み付け回路１５、１６に入力される信号Ｓ４、Ｓ６が測距枠３１内の信号である場合には、ＣＰＵＩ／Ｆ１９を介してＣＰＵ７によって設定される、垂直方向重み付け付け画素数４０および垂直方向重み付けＳＴＥＰ数４１に従い、垂直方向重み付け係数４２を決定する。
【００３１】
同様にして垂直方向重み付け係数４２は、図示されているように測距枠中心にむかって０から１へと変化する。変化する段数は、前記垂直方向重み付けＳＴＥＰ数４１によって決定され、１／２ステップ、１／４ステップ、１／８ステップ等が選択可能であり、図２においては１／４ステップずつ変化する場合について図示している。
【００３２】
また、重み付け領域３２の垂直方向の画素数（重み付け領域の垂直方向の太さ）は、垂直方向重み付け画素数４０と垂直方向重み付けＳＴＥＰ数４１で決定される重み付け段数との積により決定される。すなわち本実施形態においては、垂直方向重み付け画素数４０×３が重み付け領域３２の垂直方向の画素数となる。
【００３３】
測距枠発生回路１８で生成された重み付け係数３９および４２は、重み付け回路１５、１６に入力され、オートフォーカス用の評価信号Ｓ４およびＳ６に乗算さる。
【００３４】
測距枠発生回路１８は、測距枠水平位置３３、測距枠水平画素数３４、測距枠垂直位置３５、測距枠垂直画素数３６および水平方向重み付け画素数３７、水平方向重み付けＳＴＥＰ数３８、垂直方向重み付け画素数４０、垂直方向重み付けＳＴＥＰ数４１に従い、評価値算出回路１７に入力される信号Ｓ７およびＳ８が、測距枠３１内部の信号であるか否か、測距枠３１のどの部分に相当するか等、特開平６−２６８８９６号公報の実施例に記述されるようなタイミング信号を発生させ、評価算出回路１７へ指示を送る。
【００３５】
評価算出回路１７は、測距枠発生回路１８からのタイミング信号に従い、重み付け回路１５、１６から出力される信号Ｓ７およびＳ８から、特開平６−２６８８９６号公報の実施例に記述されているような複数の評価値を抽出する。
【００３６】
測距枠発生回路１８で生成された重み付け係数３９および４２が、オートフォーカス用の評価信号Ｓ４およびＳ６に乗算されてから評価値算出回路１７へ入力されるため、測距枠３１の周辺に主被写体Ａと異なる他の被写体Ｂが存在していたとしても、オートフォーカス用の評価値に与える影響を低減することができる。とりわけ手ぶれ等により、被写体Ｂが測距枠３１内に入ったり出たりする場合においても、評価値変動によるオートフォーカス動作への影響を低減させることができる。
【００３７】
図３は、複数の測距枠を使用してオートフォーカス制御を行う場合の、重み付け係数の決定方法について説明した図である。
【００３８】
太線で図示した従来の３測距枠に対し、本発明の一実施形態の測距枠Ｌ５０、測距枠Ｃ５１および測距枠Ｒ５２は、それぞれ従来の測距枠の上辺および左辺の内側と、右辺および下辺の外側に斜線で図示した重み付け領域Ｌ５３、重み付け領域Ｃ５４、重み付け領域Ｒ５５を有する。
【００３９】
測距枠発生回路１８は、重み付け回路１５、１６に入力される信号Ｓ４、Ｓ６が測距枠Ｌ５０内の信号である場合には、ＣＰＵＩ／Ｆ１９を介してＣＰＵ７によって設定される、水平方向重み付け付け画素数３７および水平方向重み付けＳＴＥＰ数３８に従い、水平方向重み付け係数Ｌ５６を決定する。
【００４０】
同様にして、測距枠発生回路１８は、重み付け回路１５、１６に入力される信号Ｓ４、Ｓ６が測距枠Ｃ５１内の信号である場合には、ＣＰＵＩ／Ｆ１９を介してＣＰＵ７によって設定される、水平方向重み付け付け画素数３７および水平方向重み付けＳＴＥＰ数３８に従い、水平方向重み付け係数Ｃ５７を決定する。
【００４１】
同様にして、測距枠発生回路１８は、重み付け回路１５、１６に入力される信号Ｓ４、Ｓ６が測距枠Ｒ５２内の信号である場合には、ＣＰＵＩ／Ｆ１９を介してＣＰＵ７によって設定される、水平方向重み付け付け画素数３７および水平方向重み付けＳＴＥＰ数３８に従い、水平方向重み付け係数Ｒ５８を決定する。
【００４２】
水平方向重み付け係数Ｌ５６、水平方向重み付け係数Ｃ５７および水平方向重み付け係数Ｒ５８は、図示されているように測距枠中心にむかって０から１へと変化する。変化する段数は、水平方向重み付けＳＴＥＰ数３８によって決定され、１／２ステップ、１／４ステップ、１／８ステップ等が選択可能であり、図３においては１／４ステップずつ変化する場合について図示している。
【００４３】
また、重み付け領域Ｌ５３、重み付け領域Ｃ５４、重み付け領域Ｒ５５の水平方向の画素数は、水平方向重み付け画素数３７と水平方向重み付けＳＴＥＰ数３９で決定される重み付け段数との積により決定される。すなわち本実施形態においては、水平方向重み付け画素数３７×３が重み付け領域Ｌ５３、重み付け領域Ｃ５４、重み付け領域Ｒ５５のの水平方向の画素数となる。
【００４４】
同様に重み付け回路１５、１６に入力される信号Ｓ４、Ｓ６が、測距枠Ｌ５０、測距枠Ｃ５１あるいは測距枠Ｒ５２内の信号である場合には、ＣＰＵＩ／Ｆ１９を介してＣＰＵ７によって設定される、垂直方向重み付け付け画素数４０および垂直方向重み付けＳＴＥＰ数４１に従い、垂直方向重み付け係数４２を決定する。
【００４５】
同様にして垂直方向重み付け係数４２は、図示されているように測距枠中心にむかって０から１へと変化する。変化する段数は、垂直方向重み付けＳＴＥＰ数４１によって決定され、１／２ステップ、１／４ステップ、１／８ステップ等が選択可能であり、図２においては１／４ステップずつ変化する場合について図示している。
【００４６】
また、重み付け領域Ｌ５３、重み付け領域Ｃ５４、重み付け領域Ｒ５５の垂直方向の画素数は、垂直方向重み付け画素数４０と垂直方向重み付けＳＴＥＰ数４１で決定される重み付け段数との積により決定される。すなわち本実施形態においては、垂直方向重み付け画素数４０×３が各重み付け領域の垂直方向の画素数となる。
【００４７】
測距枠発生回路１８で生成された重み付け係数５６、５７、５８および４２は、重み付け回路１５、１６に入力され、オートフォーカス用の評価信号Ｓ４およびＳ６に乗算さる。
【００４８】
測距枠発生回路１８は、測距枠水平位置３３、測距枠水平画素数３４、測距枠垂直位置３５、測距枠垂直画素数３６および水平方向重み付け画素数３７、水平方向重み付けＳＴＥＰ数３８、垂直方向重み付け画素数４０、垂直方向重み付けＳＴＥＰ数４１に従い、評価値算出回路１７に入力される信号Ｓ７およびＳ８が、測距枠３１内部の信号であるか否か、測距枠３１のどの部分に相当するか等、特開平６−２６８８９６号公報の実施例に記述されるようなタイミング信号を発生させ、評価算出回路１７へ指示を送る。
【００４９】
評価算出回路１７は、測距枠発生回路１８からのタイミング信号に従い、重み付け回路１５、１６から出力される信号Ｓ７およびＳ８から、特開平６−２６８８９６号公報の実施例に記述されているような複数の評価値を抽出する。
【００５０】
測距枠発生回路１８で生成された重み付け係数５６、５７、５８および４２が、オートフォーカス用の評価信号Ｓ４およびＳ６に乗算されてから評価値算出回路１７へ入力されるため、測距枠Ｌ５０、測距枠Ｃ５１、測距枠Ｒ５２のいずれかの測距枠周辺に主被写体Ａと異なる他の被写体Ｂが存在していたとしても、オートフォーカス用の評価値に与える影響を低減することができる。とりわけ手ぶれ等により、被写体Ｂが測距枠Ｌ５０、測距枠Ｃ５１、測距枠Ｒ５２のいずれかに入ったり出たりする場合においても、評価値変動によるオートフォーカス動作への影響を低減させることができる。
【００５１】
さらに図３に図示されるように、測距枠Ｌ５０、測距枠Ｃ５１、測距枠Ｒ５２の境界付近の重み付け方法が、以下の関係を満足している場合には、測距枠Ｌ５０、測距枠Ｃ５１、測距枠Ｒ５２の境界付近に主被写体Ａと異なる他の被写体Ｂが存在していたとしても、オートフォーカス用の評価値に与える影響を低減することができる。
【００５２】
係数下降時の重み付け係数＝１−係数上昇時の重み付け係数
とりわけ手ぶれ等により、被写体Ｂが測距枠Ｌ５０、測距枠Ｃ５１、測距枠Ｒ５２の境界付近で微小移動する場合においても、評価値変動による測距枠選択への影響を低減させ、より安定したオートフォーカス制御を行うことができる。
【００５３】
また、本実施形態においては、測距枠Ｌ５０、測距枠Ｃ５１、測距枠Ｒ５２が隣接して存在する場合について述べているが、所定の間隔で測距枠が離れて設定された場合においても、各測距枠が図２の構成をとることにより、測距枠周辺の被写体の存在が引き起こす、評価値変動によるオートフォーカス動作への影響を低減させることができる。
【００５４】
さらに本実施形態においては、垂直方向の測距枠数が単数の場合についてのみ説明しているが、垂直方向に複数の測距枠を有するオートフォーカス装置においても、同様の方法により測距枠周辺或いは複数測距枠の境界付近に存在する被写体が引き起こす、評価値変動によるオートフォーカス動作への影響を低減させることができる。
【００５５】
以上説明したように、本実施形態の撮像装置によれば、オートフォーカス用評価値算出時において、評価値を算出する信号に対して重み付け処理を行うことにより、測距枠周辺に主被写体Ａと異なる他の被写体Ｂが存在していたとしても、被写体Ｂがオートフォーカス用の評価値に与える影響を低減することができる。これは測距枠周辺部の敏感度を低下させたことによる効果であり、ありとりわけ手ぶれ等により、被写体Ｂが測距枠に入ったり出たりする場合においても、評価値変動によるオートフォーカス制御への影響を低減させ、安定したオートフォーカス動作を実現することが可能となる。
【００５６】
【他の実施形態】
本発明は、複数の機器から構成されるシステムに適用しても良いし、また、単体の機器から成る装置に適用しても良いしＬＡＮなどのネットワークを介して処理が行われるシステムに適用しても良い。
【００５７】
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５８】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５９】
本発明を上記記憶媒体に適用する場合、その記憶媒体には、先に説明した手順に対応するプログラムコードが格納されることになる。
【００６０】
なお、本発明の実施態様の例を以下に列挙する。
【００６１】
（実施態様１）  被写体からの光を光電変換して撮像信号を生成する撮像手段と、
該撮像手段により撮像された画面内の焦点検出領域に対応する信号成分から所定の周波数成分を抽出する抽出手段と、
該抽出手段により抽出された前記所定の周波数成分に重み付けをする重み付け手段と、
該重み付け手段により重みをつけられた信号に基づいてフォーカスレンズを合焦位置に移動させる駆動手段とを備えることを特徴とする撮像装置。
【００６２】
（実施態様２）  前記重み付け手段によって算出される重み付け係数は、前記焦点検出領域の周辺部から中心部に向かって所定の段数で変化することを特徴とする実施態様１に記載の撮像装置。
【００６３】
（実施態様３）  前記重み付け係数及び前記所定の段数は、前記画面の水平方向及び垂直方向にそれぞれ独立に設定可能であることを特徴とする実施態様２に記載の撮像装置。
【００６４】
（実施態様４）  前記焦点検出領域は複数設定されており、前記重み付け手段は互いに隣接する焦点検出領域の間で相対的な重み付けを行なうことを特徴とする実施態様１に記載の撮像装置。
【００６５】
（実施態様５）  被写体からの光を光電変換して撮像信号を生成する撮像工程と、
該撮像工程において撮像された画面内の焦点検出領域に対応する信号成分から所定の周波数成分を抽出する抽出工程と、
該抽出工程において抽出された前記所定の周波数成分に重み付けをする重み付け工程と、
該重み付け工程において重みをつけられた信号に基づいてフォーカスレンズを合焦位置に移動させる駆動工程とを備えることを特徴とするオートフォーカス方法。
【００６６】
（実施態様６）  前記重み付け工程において算出される重み付け係数は、前記焦点検出領域の周辺部から中心部に向かって所定の段数で変化することを特徴とする実施態様５に記載のオートフォーカス方法。
【００６７】
（実施態様７）  前記重み付け係数及び前記所定の段数は、前記画面の水平方向及び垂直方向にそれぞれ独立に設定可能であることを特徴とする実施態様６に記載のオートフォーカス方法。
【００６８】
（実施態様８）  前記焦点検出領域は複数設定されており、前記重み付け工程では互いに隣接する焦点検出領域の間で相対的な重み付けを行なうことを特徴とする実施態様５に記載のオートフォーカス方法。
【００６９】
（実施態様９）  実施態様５乃至８のいずれか１つに記載のオートフォーカス方法をコンピュータに実行させることを特徴とするプログラム。
【００７０】
（実施態様１０）  実施態様９に記載のプログラムをコンピュータ読み取り可能に記憶したことを特徴とする記憶媒体。
【００７１】
（実施態様１１）  被写体からの光を光電変換して撮像信号を生成する撮像手段と、
該撮像手段により撮像された画面内の焦点検出領域に対応する信号成分から所定の周波数成分を抽出する抽出手段と、
該抽出手段により抽出された前記所定の周波数成分に重み付けをする重み付け手段と、
前記重み付け手段の出力から、フォーカスレンズの制御に必要な単数或いは複数の情報を取得する評価値算出手段と、
前記評価値算出手段により取り出された信号に基づいてフォーカスレンズを合焦点へ駆動する駆動手段とを備え、
前記重み付け手段は水平方向、垂直方向それぞれ独立に重み付け係数の設定ができることを特徴とする撮像装置。
【００７２】
（実施態様１２）  被写体からの光を光電変換して撮像信号を生成する撮像手段と、
該撮像手段により撮像された画面内の焦点検出領域に対応する信号成分から所定の周波数成分を抽出する抽出手段と、
該抽出手段により抽出された前記所定の周波数成分に重み付けをする重み付け手段と、
前記重み付け手段の出力から、フォーカスレンズの制御に必要な単数或いは複数の情報を取得する評価値算出手段と、
前記評価値算出手段により取り出された信号に基づいてフォーカスレンズを合焦点へ駆動する駆動手段とを備え、
前記重み付け手段は隣接する測距枠の間で相対的な重み付け処理を行うことを特徴とする撮像装置。
【００７３】
【発明の効果】
以上説明したように、本発明によれば、測距枠周辺部に存在する主被写体とは異なる他の被写体がオートフォーカス動作へ及ぼす影響を抑制し、安定したオートフォーカス動作を実現することが可能となる。
【図面の簡単な説明】
【図１】本発明の一実施形態に係わる撮像装置の概略構成を示すブロック図である。
【図２】測距枠が単数の場合における重み付け方法の一例を示す図である。
【図３】測距枠が複数の場合における重み付け方法の一例を示す図である。
【図４】従来の撮像装置の概略構成を示すブロック図である。
【図５】測距枠周辺部に主被写体と異なる他の被写体が存在することを説明する図である。
【図１】
2004191892.tif 000003
【図２】
2004191892.tif 000004
【図３】
2004191892.tif 000005
【図４】
2004191892.tif 000006
【図５】
2004191892.tif 000007